(57)【要約】      （修正有）【解決手段】本方法は、オブジェクト管理ウィンドウを表示する段階と、オブジェクト管理ウィンドウにおいて実行されたユーザの入力を検出する段階であって、この入力はユーザの画面タッチ位置及び圧力値を含む、検出する段階と、画面タッチ位置に従って、ユーザにより選択されたオブジェクトを決定する段階と、圧力値が事前設定閾値より大きい又はこれに等しい場合に、ユーザにより選択されたオブジェクトを圧縮する段階とを含む。【効果】本発明の複数の技術的解決手段において提供される方法及び装置を用いることで、オブジェクト管理ウィンドウのオブジェクトに対して、操作が迅速に実行されることができ、これにより、ユーザエクスペリエンスが向上する。【選択図】図１
2018185836.tif 000002
【特許請求の範囲】
【請求項１】
インテリジェント端末制御方法であって、
オブジェクト管理ウィンドウを表示する段階と、
前記オブジェクト管理ウィンドウにおいて実行されたユーザの入力を検出する段階であって、前記入力は前記ユーザの画面タッチ位置及び圧力値を含む、検出する段階と、
前記画面タッチ位置に従って、前記ユーザにより選択されたオブジェクトを決定する段階と、
前記圧力値に従って、圧縮率を取得する段階と、
前記圧力値が事前設定閾値より大きい又はこれに等しい場合に、取得された前記圧縮率に従って前記ユーザにより選択された前記オブジェクトを圧縮する段階と、
を備える、
方法。
【請求項２】
前記ユーザにより選択された前記オブジェクトを前記圧縮する段階は、前記オブジェクト管理ウィンドウにおいて、前記ユーザにより選択された前記オブジェクトに対して記憶容量の圧縮を実行する段階を有する、
請求項１に記載の方法。
【請求項３】
インテリジェント端末制御方法であって、
オブジェクト管理ウィンドウを表示する段階と、
前記オブジェクト管理ウィンドウにおいて実行されたユーザの入力を検出する段階であって、前記入力は前記ユーザの画面タッチ位置及び圧力値を含む、検出する段階と、
前記画面タッチ位置に従って、前記ユーザにより選択されたオブジェクトを決定する段階と、
前記圧力値が事前設定閾値より大きい又はこれに等しい場合に削除トリガを表示する段階であり、前記削除トリガは削除アニメーションである、段階と、
前記ユーザが前記入力を完了したことが検出された場合に、前記削除アニメーションを完全に表示するかどうかを決定する段階と、
前記削除トリガがアクティブであり、特に前記削除アニメーションが完全に表示されている場合に、前記ユーザにより選択された前記オブジェクトに対して削除操作を実行し、前記削除アニメーションが完全に表示されていない場合に、前記削除アニメーションの表示を停止し、停止点から、表示された前記削除アニメーションを後ろから前へと逆に再生する段階と、
を備える、
方法。
【請求項４】
オブジェクト管理ウィンドウを表示する表示ユニットと、
前記オブジェクト管理ウィンドウにおいて実行されたユーザの入力を検出する検出ユニットであって、前記入力は前記ユーザの画面タッチ位置及び圧力値を含む、検出ユニットと、
前記検出ユニットにより検出された前記画面タッチ位置に従って、前記ユーザにより選択されたオブジェクトを決定する決定ユニットと、
前記検出ユニットにより検出された前記圧力値に従って、圧縮率を取得する取得ユニットと、
前記圧力値が事前設定閾値より大きい又はこれに等しい場合に、取得された前記圧縮率に従って前記ユーザにより選択された前記オブジェクトを圧縮する圧縮ユニットと、
を備える、
インテリジェント端末。
【請求項５】
前記圧縮ユニットは特に、前記オブジェクト管理ウィンドウにおいて、前記ユーザにより選択された前記オブジェクトに対して記憶容量の圧縮を実行する、
請求項４に記載のインテリジェント端末。
【請求項６】
オブジェクト管理ウィンドウを表示する表示ユニットと、
前記オブジェクト管理ウィンドウにおいて実行されたユーザの入力を検出する検出ユニットであって、前記入力は前記ユーザの画面タッチ位置及び圧力値を含む、検出ユニットと、
前記画面タッチ位置に従って、前記ユーザにより選択されたオブジェクトを決定する決定ユニットであって、前記表示ユニットは更に、前記圧力値が事前設定閾値より大きい又はこれに等しい場合に削除トリガを表示し、前記削除トリガは削除アニメーションである、決定ユニットと、
前記ユーザが前記入力を完了したことを前記検出ユニットが検出した場合に、前記表示ユニットが前記削除アニメーションを完全に表示するかどうかを決定する判定ユニットと、
前記表示ユニットにより表示された前記削除トリガがアクティブであり、特に前記削除アニメーションが完全に表示されている場合に、前記ユーザにより選択された前記オブジェクトに対して削除操作を実行し、前記削除アニメーションが完全に表示されていない場合に、前記削除アニメーションの表示を停止し、停止点から、表示された前記削除アニメーションを後ろから前へと逆に再生する実行ユニットと、
を備える、
インテリジェント端末。
【発明の詳細な説明】
【技術分野】
【０００１】
本発明は端末分野に関し、具体的には、インテリジェント端末制御方法及び装置に関する。
【背景技術】
【０００２】
インテリジェント端末での一連の操作可能なオブジェクトについては、操作を実行すべく、操作方法がメニューから選択される必要がある。一般的な操作可能なオブジェクトは、写真、アプリケーションプログラム、ドキュメントなどを含む。一般的な操作方法は、圧縮、解凍、コピー、ペースト、開く、削除などの操作を含む。
【０００３】
上述のことから分かり得るのは、操作メニューの操作方法については、操作方法の選択肢が多く存在する場合、又は、ユーザが多くの操作可能なオブジェクトを処理する必要がある場合、ユーザは識別や選択に時間を費やす必要があり、その結果、ユーザエクスペリエンスは不満足なものになるということである。
【発明の概要】
【０００４】
本発明の複数の実施形態は、インテリジェント端末制御方法及び装置を提供する。本発明の技術的解決手段において提供される方法を用いることで、ユーザは操作可能なオブジェクトを迅速に操作することができ、これにより、ユーザエクスペリエンスが向上する。
【０００５】
本発明の複数の実施形態の第１の態様はインテリジェント端末制御方法を開示し、本方法は、オブジェクト管理ウィンドウを表示する段階と、オブジェクト管理ウィンドウにおいて実行されたユーザの入力を検出する段階であって、この入力はユーザの画面タッチ位置及び圧力値を含む、検出する段階と、画面タッチ位置に従って、ユーザにより選択されたオブジェクトを決定する段階と、圧力値が事前設定閾値より大きい又はこれに等しい場合に、ユーザにより選択されたオブジェクトを圧縮する段階とを含む。
【０００６】
第１の態様に関連して、第１の態様の第１の可能な実装態様では、ユーザにより選択されたオブジェクトを圧縮する段階は、オブジェクト管理ウィンドウにおいて、事前設定圧縮率に従って、ユーザにより選択されたオブジェクトを圧縮する段階を含む。
【０００７】
第１の態様に関連して、第１の態様の第２の可能な実装態様では、ユーザにより選択されたオブジェクトを圧縮する段階の前に、本方法は、圧力値に従って圧縮率を取得する段階を更に含み、ユーザにより選択されたオブジェクトを圧縮する段階は、オブジェクト管理ウィンドウにおいて、取得された圧縮率に従って、ユーザにより選択されたオブジェクトを圧縮する段階を含む。
【０００８】
第１の態様に関連して、第１の態様の第３の可能な実装態様では、ユーザにより選択されたオブジェクトを圧縮する段階は、オブジェクト管理ウィンドウにおいて、ユーザにより選択されたオブジェクトに対して記憶容量の圧縮を実行する段階を含む。
【０００９】
本発明の複数の実施形態の第２の態様は、別のインテリジェント端末制御方法を開示し、本方法は、オブジェクト管理ウィンドウを表示する段階と、オブジェクト管理ウィンドウにおいて実行されたユーザの入力を検出する段階であって、この入力はユーザの画面タッチ位置及び圧力値を含む、検出する段階と、画面タッチ位置に従って、ユーザにより選択されたオブジェクトを決定する段階と、圧力値が事前設定閾値より大きい又はこれに等しい場合に、削除トリガを表示する段階と、削除トリガがアクティブである場合に、ユーザにより選択されたオブジェクトに対して削除操作を実行する段階とを含む。
【００１０】
第２の態様に関連して、第２の態様第１の可能な実装態様では、圧力値が事前設定閾値より大きい又はこれに等しい場合に削除トリガを表示する段階は、圧力値が事前設定閾値より大きい又はこれに等しい場合に削除アニメーションを表示する段階を含み、削除トリガがアクティブである場合に、ユーザにより選択されたオブジェクトに対して削除操作を実行する段階は、削除アニメーションが完全に表示されている場合に、ユーザにより選択されたオブジェクトに対して削除操作を実行する段階を含む。
【００１１】
第２の態様の第１の可能な実装態様に関連して、第２の態様の第２の可能な実装態様では、本方法は、ユーザが入力を完了したことが検出された場合に、削除アニメーションを完全に表示するかどうかを決定する段階と、削除アニメーションが完全に表示されていない場合に、削除アニメーションの表示を停止し、停止点から、表示された削除アニメーションを後ろから前へと逆に再生する段階とを更に含む。
【００１２】
第２の態様に関連して、第２の態様の第３の可能な実装態様では、圧力値が事前設定閾値より大きい又はこれに等しい場合に削除トリガを表示する段階は、圧力値が事前設定閾値より大きい又はこれに等しい場合に削除確認ボタンを表示する段階を含み、削除トリガがアクティブである場合に、ユーザにより選択されたオブジェクトに対して削除操作を実行する段階は、削除確認ボタンが選択された場合に、ユーザにより選択されたオブジェクトに対して削除操作を実行する段階を含む。
【００１３】
本発明の複数の実施形態の第３の態様は、別のインテリジェント端末制御方法を開示し、本方法は、顔文字選択ウィンドウを表示する段階と、顔文字選択ウィンドウで実行されたユーザの入力を検出する段階であって、この入力はユーザの画面タッチ位置及び圧力値を含む、検出する段階と、画面タッチ位置に従って、ユーザにより選択された顔文字タイプを決定する段階と、圧力値の動的な変化に従って、ユーザにより選択された顔文字タイプの、圧力値に対応する顔文字又は顔文字アニメーションを表示する段階と、ユーザが入力を完了したことが検出された場合に、現在表示される顔文字又は顔文字アニメーションを決定し適用する段階とを含む。
【００１４】
本発明の複数の実施形態の第４の態様はインテリジェント端末を開示し、インテリジェント端末は、オブジェクト管理ウィンドウを表示するよう構成された表示ユニットと、オブジェクト管理ウィンドウにおいて実行されたユーザの入力を検出するよう構成された検出ユニットであって、この入力はユーザの画面タッチ位置及び圧力値を含む、検出ユニットと、検出ユニットにより検出された画面タッチ位置に従って、ユーザにより選択されたオブジェクトを決定するよう構成された決定ユニットと、圧力値が事前設定閾値より大きい又はこれに等しい場合に、ユーザにより選択されたオブジェクトを圧縮するよう構成された圧縮ユニットとを含む。
【００１５】
第４の態様に関連して、第４の態様の第１の可能な実装態様では、圧縮ユニットは、オブジェクト管理ウィンドウにおいて、事前設定圧縮率に従って、ユーザにより選択されたオブジェクトを圧縮するよう特に構成される。
【００１６】
第４の態様に関連して、第４の態様の第２の可能な実装態様では、インテリジェント端末は取得ユニットを更に含み、取得ユニットは、圧力値に従って圧縮率を取得するよう特に構成され、圧縮ユニットは、オブジェクト管理ウィンドウにおいて取得された圧縮率に従って、ユーザにより選択されたオブジェクトを圧縮するよう特に構成される。
【００１７】
第４の態様に関連して、第４の態様の第３の可能な実装態様では、圧縮ユニットは、オブジェクト管理ウィンドウにおいて、ユーザにより選択されたオブジェクトに対して記憶容量の圧縮を実行するよう特に構成される。
【００１８】
本発明の複数の実施形態の第５の態様は別のインテリジェント端末を開示し、インテリジェント端末は、オブジェクト管理ウィンドウを表示するよう構成された表示ユニットと、オブジェクト管理ウィンドウにおいて実行されたユーザの入力を検出するよう構成された検出ユニットであって、この入力はユーザの画面タッチ位置及び圧力値を含む、検出ユニットと、画面タッチ位置に従って、ユーザにより選択されたオブジェクトを決定するよう構成された決定ユニットであって、表示ユニットは、圧力値が事前設定閾値より大きい又はこれに等しい場合に削除トリガを表示するよう構成される、決定ユニットと、削除トリガがアクティブである場合に、ユーザにより選択されたオブジェクトに対して削除操作を実行するよう構成された実行ユニットとを含む。
【００１９】
第５の態様に関連して、第５の態様第１の可能な実装態様では、表示ユニットは、圧力値が事前設定閾値より大きい又はこれに等しい場合に削除アニメーションを表示するよう特に構成され、実行ユニットは、削除アニメーションが完全に表示されている場合に、ユーザにより選択されたオブジェクトに対して削除操作を実行するよう特に構成される。
【００２０】
第５の態様の第１の可能な実装態様に関連して、第５の態様の第２の可能な実装態様では、インテリジェント端末は判定ユニットを更に含み、判定ユニットは、ユーザが入力を完了したことを検出ユニットが検出した場合に、表示ユニットが削除アニメーションを完全に表示するかどうかを決定するよう構成され、実行ユニットは、削除アニメーションが完全に表示されていない場合に、削除アニメーションの表示を停止し、停止点から、表示された削除アニメーションを後ろから前へと逆に再生するよう更に構成される。
【００２１】
第５の態様に関連して、第５の態様の第３の可能な実装態様では、表示ユニットは、圧力値が事前設定閾値より大きい又はこれに等しい場合に、削除確認ボタンを表示するよう特に構成され、実行ユニットは、削除確認ボタンが選択された場合に、ユーザにより選択されたオブジェクトに対して削除操作を実行するよう更に構成される。
【００２２】
本発明の複数の実施形態の第６の態様は、別のインテリジェント端末を開示し、インテリジェント端末は、顔文字選択ウィンドウを表示するよう構成された表示ユニットと、顔文字選択ウィンドウで実行されたユーザの入力を検出するよう構成された検出ユニットであって、この入力はユーザの画面タッチ位置及び圧力値を含む、検出ユニットと、画面タッチ位置に従って、ユーザにより選択された顔文字タイプを決定するよう構成された決定ユニットであって、表示ユニットは圧力値に従って、ユーザにより選択された顔文字タイプの、圧力値に対応する顔文字又は顔文字アニメーションを決定するよう更に構成される、決定ユニットと、ユーザが入力を完了したことを検出ユニットが検出した場合に、表示ユニットにより現在表示される顔文字又は顔文字アニメーションを決定し適用するよう構成された実行ユニットとを含む。
【００２３】
第１の態様及び第４の態様から分かり得ることは、本発明の複数の実施形態において提供されるインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に、ユーザにより選択されたオブジェクトに対して圧縮が実行されるということである。これにより、操作可能なオブジェクトに対するユーザ操作が容易になり、ユーザエクスペリエンスが向上する。
【００２４】
第２の態様及び第５の態様から分かり得ることは、本発明において提供されるインテリジェント端末制御方法を用いて、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に、削除トリガが表示され、削除操作を実行するかどうかについてユーザに入力を促すことである。これにより、ユーザにより選択されたオブジェクトに対してユーザ操作が容易になり、ユーザエクスペリエンスが向上する。
【００２５】
第３の態様及び第６の態様から分かり得ることは、本発明において提供されるインテリジェント端末制御方法を用いることで、顔文字選択ウィンドウで実行されたユーザの入力が検出され、この入力はユーザの画面タッチ位置及び圧力値を含み、ユーザにより選択された顔文字タイプが画面タッチ位置に従って決定され、ユーザにより選択された顔文字タイプの、圧力値に対応する顔文字又は顔文字アニメーションが圧力値に従って決定され、ユーザが入力を完了したことが検出された場合に、現在表示される顔文字又は顔文字アニメーションが決定され適用されることである。圧力値を検出することで、ユーザにより選択された顔文字タイプの、圧力値に対応する顔文字又は顔文字アニメーションが選択され適用される。これにより、ユーザ選択が容易になり、ユーザエクスペリエンスが向上する。
【図面の簡単な説明】
【００２６】
本発明の複数の実施形態における複数の技術的解決手段をより明確に説明すべく、複数の実施形態を説明するのに必要とされる複数の添付図面を以下に簡潔に説明する。以下の説明における複数の添付図面は、本発明のいくつかの実施形態を示すに過ぎず、それでも当業者であれば、これらの添付図面から創造的な努力をすることなく他の複数の図面を導き出し得ることは明らかである。
【００２７】
【図１】本発明の一実施形態によるインテリジェント端末制御方法のフローチャートである。
【００２８】
【図１ａ】本発明の一実施形態によるインテリジェント端末の制御の概略図である。
【図１ｂ】本発明の一実施形態によるインテリジェント端末の制御の概略図である。
【００２９】
【図２】本発明の別の実施形態によるインテリジェント端末制御方法のフローチャートである。
【００３０】
【図２ａ】本発明の一実施形態によるインテリジェント端末の制御の概略図である。
【図２ｂ】本発明の一実施形態によるインテリジェント端末の制御の概略図である。
【図２ｃ】本発明の一実施形態によるインテリジェント端末の制御の概略図である。
【図２ｄ】本発明の一実施形態によるインテリジェント端末の制御の概略図である。
【図２ｅ】本発明の一実施形態によるインテリジェント端末の制御の概略図である。
【図２ｆ】本発明の一実施形態によるインテリジェント端末の制御の概略図である。
【図２ｇ】本発明の一実施形態によるインテリジェント端末の制御の概略図である。
【００３１】
【図３】本発明の別の実施形態によるインテリジェント端末制御方法のフローチャートである。
【００３２】
【図４】本発明の別の実施形態によるインテリジェント端末の構造図である。
【００３３】
【図４ａ】本発明の別の実施形態によるインテリジェント端末の構造図である。
【００３４】
【図５】本発明の別の実施形態によるインテリジェント端末の構造図である。
【００３５】
【図６】本発明の別の実施形態によるインテリジェント端末の構造図である。
【００３６】
【図７】本発明の別の実施形態によるインテリジェント端末の構造図である。
【００３７】
【図８】本発明の別の実施形態によるインテリジェント端末の構造図である。
【００３８】
【図９】本発明の別の実施形態によるインテリジェント端末の構造図である。
【００３９】
【図１０】本発明の別の実施形態によるインテリジェント端末の構造図である。
【発明を実施するための形態】
【００４０】
本発明の複数の実施形態における複数の技術的解決手段を、本発明の複数の実施形態の複数の添付図面を参照して、以下に明確且つ完全に説明する。説明される複数の実施形態は、本発明の複数の実施形態のいくつかに過ぎず、全てではないことは明らかである。当業者が、本発明の複数の実施形態に基づき、創造的な努力をすることなく取得する他の全ての実施形態は、本発明の保護範囲内に含まれることになる。
【００４１】
図１に従い、以下は本発明の一実施形態によるインテリジェント端末制御方法を説明する。本制御方法は、インテリジェント端末におけるビデオ、フォルダ、又はドキュメントに関するユーザ操作を容易にする。本方法は、具体的には、段階１０１〜１０４を含む。
【００４２】
１０１．オブジェクト管理ウィンドウを表示する。
【００４３】
オブジェクト管理ウィンドウにおいて、各フォルダ、ビデオ、又はドキュメントは操作可能なオブジェクトである。
【００４４】
インテリジェント端末は、スマートフォン、タブレットコンピュータ、ウェアラブルデバイスなどを含む。
【００４５】
開始後、インテリジェント端末は自動的にオブジェクト管理ウィンドウに入る、又はインテリジェント端末は、ユーザ操作を用いることでオブジェクト管理ウィンドウに入り得る。
【００４６】
１０２．オブジェクト管理ウィンドウにおいて実行されたユーザの入力を検出する。この入力はユーザの画面タッチ位置及び圧力値を含む。
【００４７】
オブジェクト管理ウィンドウにおいてユーザが操作を実行した場合、インテリジェント端末は、ユーザの画面タッチ位置を検出して、画面タッチの圧力値を取得する必要がある。
【００４８】
圧力値は、圧力センサなどの構成要素により取得され得る。
【００４９】
１０３．画面タッチ位置に従って、ユーザにより選択されたオブジェクトを決定する。
【００５０】
インテリジェント端末は、ユーザの画面タッチ位置に従って、操作されたオブジェクトを決定する。操作されたオブジェクトがユーザにより選択されたオブジェクトである。
【００５１】
１０４．圧力値が事前設定閾値より大きい又はこれに等しい場合、ユーザにより選択されたオブジェクトを実行する。
【００５２】
ユーザが画面上に加えた圧力値が事前設定閾値より大きい又はこれに等しい場合、ユーザにより選択されたオブジェクトを実行する。
【００５３】
事前設定閾値は、インテリジェント端末によりデフォルトで設定されてよく、又はユーザにより構成されてもよい。
【００５４】
任意選択で、ユーザにより選択されたオブジェクトを圧縮する段階は、オブジェクト管理ウィンドウにおいて、事前設定圧縮率に従って、ユーザにより選択されたオブジェクトを圧縮する段階を含む。
【００５５】
任意選択で、ユーザにより選択されたオブジェクトを圧縮する段階の前に、本方法は、圧力値に従って圧縮率を取得する段階を更に含み、ユーザにより選択されたオブジェクトを圧縮する段階は、オブジェクト管理ウィンドウにおいて、取得した圧縮率に従って、ユーザにより選択されたオブジェクトをパッケージに圧縮する段階を含む。
【００５６】
ユーザがより高い圧力を加えると、インテリジェント端末が用いる圧縮率がより高くなり、ユーザが選択したオブジェクトがより小さいサイズに圧縮される。
【００５７】
任意選択で、ユーザにより選択されたオブジェクトを圧縮する段階は、オブジェクト管理ウィンドウにおいて、ユーザにより選択されたオブジェクトに対して記憶容量の圧縮を実行する段階を含む。
【００５８】
上述のことから分かり得るのは、本発明のこの実施形態のインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に、ユーザにより選択されたオブジェクトに対して圧縮が実行されるということである。これにより、操作可能なオブジェクトに対するユーザ操作が容易になり、ユーザエクスペリエンスが向上する。
【００５９】
本発明の別の実施形態において、図１ａ及び図１ｂに示されるように、ユーザがオブジェクト管理ウィンドウ上のドキュメントにタッチし、ユーザの画面タッチ位置の圧力値が事前設定閾値より大きい又はこれに等しいことをインテリジェント端末が検出した場合、ドキュメントは圧縮されてパッケージを生成する。
【００６０】
本発明の別の実施形態において、ユーザがインテリジェント端末の画面をタッチしてファイルリストに入り、複数のファイルを選択し、画面に圧力を加える。その圧力の圧力値が事前設定閾値より大きい又はこれに等しいことをインテリジェント端末が検出した場合、ユーザにより選択されたファイルがパッケージに圧縮される。
【００６１】
本発明の別の実施形態において、ユーザがオブジェクト管理ウィンドウ上のパッケージにタッチし、ユーザがそのパッケージにタッチしたことをインテリジェント端末が検出し、インテリジェント端末の画面に加えられた圧力値が事前設定閾値より大きい又はこれに等しい場合、パッケージに対して解凍が実行される。同様に、本方法を用いることで、ユーザは複数のパッケージを解凍するために選択してよい。
【００６２】
本発明の別の実施形態において、圧力値を検出することで、ユーザにより選択されたオブジェクトが圧縮又は解凍され、パッケージが生成されてよく、又はパッケージが解凍されて、デフォルトのパス又はユーザにより設定されたパスに、ファイルを生成してよい。
【００６３】
図２に従い、以下は本発明の一実施形態による別のインテリジェント端末制御方法を説明する。本制御方法は、インテリジェント端末において、アプリケーションプログラム及びドキュメントに対するユーザ操作を容易にする。本方法は、具体的には、段階２０１〜２０５を含む。
【００６４】
２０１．オブジェクト管理ウィンドウを表示する。
【００６５】
オブジェクト管理ウィンドウにおいて、各アプリケーションプログラム、フォルダ、ビデオ、画像、又はドキュメントは操作可能なオブジェクトである。
【００６６】
インテリジェント端末は、スマートフォン、タブレットコンピュータ、ウェアラブルデバイスなどを含む。
【００６７】
開始後、インテリジェント端末は自動的にオブジェクト管理ウィンドウに入る、又はインテリジェント端末は、ユーザ操作を用いることでオブジェクト管理ウィンドウに入り得る。
【００６８】
２０２．オブジェクト管理ウィンドウにおいて実行されたユーザの入力を検出する。この入力はユーザの画面タッチ位置及び圧力値を含む。
【００６９】
オブジェクト管理ウィンドウにおいてユーザが操作を実行した場合、インテリジェント端末は、ユーザの画面タッチ位置を検出して、画面タッチの圧力値を取得する必要がある。圧力値は、圧力センサなどの構成要素により取得され得る。
【００７０】
２０３．画面タッチ位置に従って、ユーザにより選択されたオブジェクトを決定する。
【００７１】
インテリジェント端末は、ユーザの画面タッチ位置に従って、操作されたオブジェクトを決定する。操作されたオブジェクトがユーザにより選択されたオブジェクトである。例えば、写真のサムネイルなど、選択され得る複数のオブジェクトを画面が表示し、ユーザが複数のサムネイルの１つにタッチした場合、そのサムネイルに対応する写真をユーザが選択したことが決定される。画面が全画面に１つの写真を表示し、ユーザが写真の任意の位置にタッチして選択した場合、ユーザがこの写真オブジェクトを選択したことが決定される。
【００７２】
２０４．圧力値が事前設定閾値より大きい又はこれに等しい場合に、削除トリガを表示する。
【００７３】
削除トリガの第１の実装態様は、削除確認ボタンでよく、例えば、ダイアログボックスの形態で表示されてよい。ユーザは、ダイアログボックス内の「はい（Ｙｅｓ）」又は「いいえ（Ｎｏ）」をタッチして、ユーザ自身の操作を決定してよい。
【００７４】
代わりに、削除トリガの第２の実装態様はアニメーションであってよい。
【００７５】
２０５．削除トリガがアクティブである場合、ユーザにより選択されたオブジェクトに対して削除操作を実行する。
【００７６】
一実装態様において、削除トリガは削除確認ボタンであってよく、例えば、ダイアログボックスの形態で表示されてよい。ユーザが、ダイアログボックス内の「はい（Ｙｅｓ）」又は「確認（Ｃｏｎｆｉｒｍ）」をタッチした場合、削除トリガがアクティブになり、インテリジェント端末は、ユーザにより選択されたオブジェクトに対して削除操作を実行する。
【００７７】
ユーザにより選択されたオブジェクトは、アプリケーションプログラム、ドキュメント、フォルダ、ビデオ、画像などを含んでよい。
【００７８】
削除操作は、フォルダ、ドキュメント、ビデオ、及び画像などのファイルの削除を含み、アプリケーションプログラムのアンインストール操作も含む。
【００７９】
代わりの第２の実装態様において、圧力値が事前設定閾値より大きい又はこれに等しい場合に削除トリガを表示する段階は、圧力値が事前設定閾値より大きい又はこれに等しい場合に削除アニメーションを表示する段階を含み、削除トリガがアクティブである場合に、ユーザにより選択されたオブジェクトに対して削除操作を実行する段階は、削除アニメーションが完全に表示されている場合に、ユーザにより選択されたオブジェクトに対して削除操作を実行する段階を含む。
【００８０】
ユーザにより選択されたオブジェクトは、アプリケーションプログラム、ドキュメント、フォルダ、ビデオ、画像などを含んでよい。
【００８１】
削除操作は、フォルダ、ドキュメント、ビデオ、及び画像などのファイルの削除を含み、アプリケーションプログラムのアンインストール操作も含む。
【００８２】
任意選択で、本方法は、ユーザが入力を完了したことが検出された場合に、削除アニメーションを完全に表示するかどうかを決定する段階と、削除アニメーションが完全に表示されていない場合に、削除アニメーションの表示を停止し、停止点から、表示された削除アニメーションを後ろから前へと逆に再生する段階とを更に含む。つまり、インテリジェント端末が削除アニメーションを再生しているとき、ユーザは、削除操作を中止するのに、画面タッチ入力を離すだけでよい。削除アニメーションは完全に再生されずに停止するので、削除トリガはアクティブではなく、インテリジェント端末は、ユーザにより選択されたオブジェクトに対して削除操作を実行しない。
【００８３】
上述のことから分かり得るのは、本発明において提供されるインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に削除トリガが表示され、削除トリガがアクティブである場合に、ユーザにより選択されたオブジェクトに対して削除操作が実行されるということである。ユーザにより選択されたオブジェクト及び入力の圧力値を検出することで、ユーザは、削除トリガを表示するという形態で、削除操作を実行するかどうかについて入力を促される。これにより、ユーザにより選択されたオブジェクトに対してユーザ操作が容易になり、ユーザエクスペリエンスが向上する。
【００８４】
本発明の別の実施形態において、図２ａ〜図２ｃに示されるように、加えられた圧力が事前設定閾値より大きい場合に、ユーザにより選択されたオブジェクトに対して削除操作が実行され、ユーザにより選択されたオブジェクトがアプリケーションプログラム又はオペレーティングシステムプログラムである場合に、アプリケーションプログラム又はオペレーティングシステムプログラムに対してアンインストール操作が実行され、ユーザにより選択されたオブジェクトが以下のタイプのオブジェクトである場合に、そのオブジェクトは削除される。そのオブジェクトのタイプは、写真、テキスト、ビデオ、音楽、連絡先、メッセージ、電子メール、アプリケーションノート、検索履歴、購入履歴、フォーラムへの投稿、警告などを含む。
【００８５】
本発明の別の実施形態において、ユーザは、削除アニメーション方式で、インテリジェント端末がユーザにより選択されたオブジェクトを削除するということを伝えられる。例えば、削除の処理（アプリケーションプログラムのアンインストールを含む）において、図２ｄ〜図２ｇに示されるように、１つ又は複数のクラックが、ユーザにより選択されたオブジェクトアイコンに、そのオブジェクトアイコンが完全に崩壊するまで発生する。ユーザが操作を中止した場合、図２ｇ〜図２ｄに示されるように、クラックは、アイコンが元の状態に復元するまで減少する。
【００８６】
本発明の一実施形態において、図３に示されるように、図３はインテリジェント端末制御方法を説明し、本制御方法は段階３０１〜３０５を含む。
【００８７】
３０１．顔文字選択ウィンドウを表示する。
【００８８】
通信ツールを用いることでチャットが実行される、又はウェブページを用いることでコメントが記入される場合、感情傾向を表現すべく、概してふさわしい顔文字が顔文字選択ウィンドウで選択される。
【００８９】
３０２．顔文字選択ウィンドウ上で実行されたユーザの入力が検出される。この入力はユーザの画面タッチ位置及び圧力値を含む。
【００９０】
顔文字選択ウィンドウ上でユーザが操作を実行した場合、インテリジェント端末は、ユーザの画面タッチ位置を検出して、画面タッチの圧力値を取得する必要がある。圧力値は、圧力センサを用いることで取得され得る。
【００９１】
３０３．画面タッチ位置に従って、ユーザにより選択された顔文字タイプを決定する。
【００９２】
インテリジェント端末は、ユーザの画面タッチ位置に従って、操作された顔文字タイプを決定する。操作される顔文字タイプは、喜び、悲しみなどの顔文字を含み、各顔文字はコレクションになっている。例えば、喜びのコレクションは、微笑（ｓｍｉｌｅ）、笑顔（ｌａｕｇｈ）、大笑い（ｇｕｆｆａｗ）などを含む。
【００９３】
３０４．圧力値の動的な変化に従って、ユーザにより選択された顔文字タイプの、圧力値に対応する顔文字又は顔文字アニメーションを表示する。
【００９４】
異なる圧力値が、ユーザにより選択された顔文字又は顔文字アニメーションに変化を引き起こす。例えば、ユーザにより選択された顔文字タイプが喜びのタイプ（例えば、微笑アイコン）であるならば、圧力値が第１の事前設定閾値より大きい又はこれに等しく、且つ第２の事前設定閾値より小さい場合、顔のアイコンが笑顔の状態を保ち、圧力値が第２の事前設定閾値より大きい又はこれに等しく、且つ第３の事前設定閾値より小さい場合、顔のアイコンは大笑いの状態を保つ。
【００９５】
３０５．ユーザが入力を完了したことが検出された場合、現在表示される顔文字又は顔文字アニメーションを決定し適用する。
【００９６】
ユーザは入力を完了したことが検出された場合、これは、ユーザの指が画面から離れたことであり得るが、このことが、ユーザが顔文字又は顔文字アニメーションを選択したことを示す。
【００９７】
現在表示される顔文字又は顔文字アニメーションを決定し適用する段階は、ユーザの指が画面から離れたときに、画面上に表示される顔文字を含む。顔文字を適用する段階は、顔文字を送信する段階、顔文字を選択する段階などを含む。
【００９８】
上述のことから分かり得るのは、本発明において提供されるインテリジェント端末制御方法を用いることで、顔文字選択ウィンドウで実行されたユーザの入力が検出され、この入力はユーザの画面タッチ位置及び圧力値を含み、ユーザにより選択された顔文字タイプが画面タッチ位置に従って決定され、ユーザにより選択された顔文字タイプの、圧力値に対応する顔文字又は顔文字アニメーションが圧力値の動的な変化に従って表示され、ユーザが入力を完了したことが検出された場合に、現在表示される顔文字又は顔文字アニメーションが決定され適用されることである。ユーザの入力の圧力値を検出することで、顔文字タイプの、圧力値に対応する顔文字又は顔文字アニメーションは決定される。これにより、ユーザ選択が容易になり、ユーザエクスペリエンスが向上する。
【００９９】
本発明の別の実施形態において、ユーザにより画面上に加えられた圧力の値に従って、ユーザにより選択された顔文字タイプに形態の変化が生じる。例えば、ユーザにより画面上に加えられた圧力が第１の事前設定値より小さい場合に、選択されたオブジェクトが微笑になってよく、ユーザにより画面上に加えられた圧力が第１の事前設定値より大きい又はこれに等しい場合に、選択されたオブジェクトは大笑いになってよい。第１の事前設定値は、インテリジェント端末によりデフォルトで設定されてよく、又はユーザにより構成されてもよい。
【０１００】
本発明の一実施形態において、図４に示されるように、図４はインテリジェント端末４０である。インテリジェント端末４０は、ウェアラブルデバイス、スマートフォン、タブレットコンピュータなどであってよい。
【０１０１】
インテリジェント端末は、表示ユニット４０１、検出ユニット４０２、決定ユニット４０３、及び圧縮ユニット４０４を含む。
【０１０２】
表示ユニット４０１は、オブジェクト管理ウィンドウを表示するよう構成される。
【０１０３】
オブジェクト管理ウィンドウは、多数のオブジェクトを含み、多数のオブジェクトは、フォルダ、ビデオ、ドキュメントなどであってよい。
【０１０４】
検出ユニット４０２は、オブジェクト管理ウィンドウにおいて実行されるユーザの入力を検出するよう構成され、この入力はユーザの画面タッチ位置及び圧力値を含む。
【０１０５】
ユーザがオブジェクト管理ウィンドウにおいて操作を実行する場合、検出ユニット４０２は、ユーザの画面タッチ位置を検出し、画面タッチの圧力値を取得する。
【０１０６】
決定ユニット４０３は、検出ユニット４０２により検出された画面タッチ位置に従って、ユーザにより選択されたオブジェクトを決定するよう構成される。
【０１０７】
ユーザがオブジェクト管理ウィンドウにおいて操作を実行した場合、決定ユニット４０３は、ユーザにより選択された、例えば、ビデオ、ドキュメント、及びフォルダなどのオブジェクトを決定する。
【０１０８】
圧縮ユニット４０４は、圧力値が事前設定閾値より大きい又はこれに等しい場合に、ユーザにより選択されたオブジェクトを圧縮するよう構成される。
【０１０９】
ユーザにより選択されたオブジェクトに加えられた圧力値が事前設定閾値より大きい又はこれに等しいことを検出ユニット４０２が検出した場合、圧縮ユニット４０４は、ユーザにより選択されたオブジェクトを圧縮する。多くの圧縮方式があり、例えば、事前設定圧縮率に従って圧縮を実行する、又は記憶容量の圧縮を実行するなどである。
【０１１０】
任意選択で、圧縮ユニット４０４は、オブジェクト管理ウィンドウにおいて、事前設定された圧縮率に従って、ユーザにより選択されたオブジェクトを圧縮するよう特に構成される。
【０１１１】
ユーザにより選択されたオブジェクトは、１つ又は複数であってよい。
【０１１２】
任意選択で、図４ａに示されるように、インテリジェント端末４０は取得ユニット４０５を更に含む。
【０１１３】
取得ユニット４０５は、圧力値に従って圧縮率を取得するよう特に構成される。
【０１１４】
圧縮ユニット４０４は、オブジェクト管理ウィンドウにおいて、取得した圧縮率に従って、ユーザにより選択されたオブジェクトを圧縮するよう特に構成される。
【０１１５】
ユーザがより高い圧力を加えると、圧縮ユニット４０４が用いる圧縮率がより高くなり、ユーザが選択したオブジェクトがより小さいサイズに圧縮される。
【０１１６】
任意選択で、圧縮ユニット４０４は更に、オブジェクト管理ウィンドウにおいて、ユーザにより選択されたオブジェクトに対して記憶容量の圧縮を実行するよう特に構成される。
【０１１７】
上述のことから分かり得るのは、本発明のこの実施形態のインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に、ユーザにより選択されたオブジェクトに対して圧縮が実行されるということである。これにより、操作可能なオブジェクトに対するユーザ操作が容易になり、ユーザエクスペリエンスが向上する。
【０１１８】
本発明の別の実施形態において、図５に示されるように、図５はインテリジェント端末５０である、インテリジェント端末５０は、表示ユニット５０１、検出ユニット５０２、決定ユニット５０３、及び実行ユニット５０４を含む。
【０１１９】
表示ユニット５０１は、オブジェクト管理ウィンドウを表示するよう構成される。
【０１２０】
オブジェクト管理ウィンドウは多数のオブジェクトを含み、オブジェクトは、アプリケーションプログラム、フォルダ、ビデオ、画像、ドキュメントなどであってよい。
【０１２１】
検出ユニット５０２は、オブジェクト管理ウィンドウにおいて実行されたユーザの入力を検出するよう構成され、この入力はユーザの画面タッチ位置及び圧力値を含む。
【０１２２】
オブジェクト管理ウィンドウにおいてユーザが操作を実行した場合、検出ユニット５０２は、ユーザの画面タッチ位置を検出して、画面タッチの圧力値を取得する必要がある。
【０１２３】
決定ユニット５０３は、画面タッチ位置に従って、ユーザにより選択されたオブジェクトを決定するよう構成される。
【０１２４】
ユーザは１つ又は複数のオブジェクトを一度に選択してよく、ユーザ選択に従って決定ユニット５０３は確認を実行する。例えば、写真のサムネイルなど、選択され得る複数のオブジェクトを画面が表示し、ユーザが複数のサムネイルの１つにタッチした場合、そのサムネイルに対応する写真をユーザが選択したことが決定される。画面が全画面に１つの写真を表示し、ユーザが写真の任意の位置にタッチして選択した場合、ユーザがこの写真オブジェクトを選択したことが決定される。
【０１２５】
表示ユニット５０１は、圧力値が事前設定閾値より大きい又はこれに等しい場合に、削除トリガを表示するよう更に構成される。
【０１２６】
削除トリガの第１の実装態様は、削除確認ボタンでよく、例えば、ダイアログボックスの形態で表示されてよい。ユーザは、ダイアログボックス内の「はい（Ｙｅｓ）」又は「いいえ（Ｎｏ）」をタッチして、ユーザ自身の操作を決定してよい。
【０１２７】
代わりに、削除トリガの第２の実装態様はアニメーションであってよい。
【０１２８】
実行ユニット５０４は、表示ユニット５０１により表示された削除トリガがアクティブである場合に、ユーザにより選択されたオブジェクトに対して削除操作を実行するよう構成される。
【０１２９】
一実装態様において、削除トリガは削除確認ボタンであってよく、例えば、ダイアログボックスの形態で表示されてよい。ユーザが、ダイアログボックス内の「はい（Ｙｅｓ）」又は「確認（Ｃｏｎｆｉｒｍ）」をタッチした場合、削除トリガがアクティブになり、ユーザにより選択されたオブジェクトに対して削除操作が実行される。
【０１３０】
ユーザにより選択されたオブジェクトは、アプリケーションプログラム、ドキュメント、フォルダ、ビデオ、画像などを含んでよい。
【０１３１】
削除操作は、フォルダ、ドキュメント、ビデオ、及び画像などのファイルの削除を含み、アプリケーションプログラムのアンインストール操作も含む。
【０１３２】
任意選択で、表示ユニット５０１は、圧力値が事前設定閾値より大きい又はこれに等しい場合に、削除アニメーションを表示するよう特に構成される。
【０１３３】
実行ユニット５０４は、削除アニメーションが完全に表示される場合、ユーザにより選択されたオブジェクトに対して削除操作を実行するよう特に構成される。
【０１３４】
任意選択で、図６に示されるように、インテリジェント端末５０は判定ユニット６０１を更に含む。
【０１３５】
判定ユニット６０１は、ユーザが入力を完了したことを検出ユニットが検出した場合に、表示ユニットが削除アニメーションを完全に表示するかどうかを決定するよう構成される。
【０１３６】
実行ユニット５０４は、削除アニメーションは完全に表示されていない場合に、削除アニメーションの表示を停止し、停止点から、表示された削除アニメーションを後ろから前へと逆に再生するよう更に構成される。
【０１３７】
つまり、インテリジェント端末が削除アニメーションを再生しているとき、ユーザは、削除操作を中止するのに、画面タッチ入力を離すだけでよい。削除アニメーションは完全に再生されずに停止するので、削除トリガはアクティブではなく、削除操作は、ユーザにより選択されたオブジェクトに対して実行されない。
【０１３８】
任意選択で、表示ユニット５０１は、圧力値が事前設定閾値より大きい又はこれに等しい場合に、削除確認ボタンを表示するよう特に構成される。
【０１３９】
実行ユニット５０４は、削除確認ボタンが選択された場合に、ユーザにより選択されたオブジェクトに対して削除操作を実行するよう更に構成される。
【０１４０】
上述のことから分かり得るのは、本発明において提供されるインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に削除トリガが表示され、削除トリガがアクティブである場合に、ユーザにより選択されたオブジェクトに対して削除操作が実行されるということである。ユーザにより選択されたオブジェクト及び入力の圧力値を検出することで、ユーザは、削除トリガの形態で、削除操作を実行するかどうかについて入力を促される。これにより、ユーザにより選択されたオブジェクトに対してユーザ操作が容易になり、ユーザエクスペリエンスが向上する。
【０１４１】
本発明の別の実施形態において、図７に示されるように、図７はインテリジェント端末７０である。インテリジェント端末７０は、表示ユニット７０１、検出ユニット７０２。決定ユニット７０３、及び実行ユニット７０４を含む。
【０１４２】
表示ユニット７０１は、顔文字選択ウィンドウを表示するよう構成される。
【０１４３】
通信ツールを用いることでチャットが実行される、又はウェブページを用いることでコメントが記入される場合、感情傾向を表現すべく、概してふさわしい顔文字が顔文字選択ウィンドウで選択される。
【０１４４】
検出ユニット７０２は、顔文字選択ウィンドウ上で実行されたユーザの入力を検出するよう構成され、この入力はユーザの画面タッチ位置及び圧力値を含む。
【０１４５】
オブジェクト管理ウィンドウにおいてユーザが操作を実行した場合、検出ユニット７０２は、ユーザの画面タッチ位置を検出して、画面タッチの圧力値を取得する必要がある。
【０１４６】
決定ユニット７０３は、画面タッチ位置に従って、ユーザにより選択された顔文字タイプを決定するよう構成される。
【０１４７】
表示ユニット７０１は、圧力値に従って、ユーザにより選択された顔文字タイプの、圧力値に対応する顔文字又は顔文字アニメーションを決定するよう更に構成される。
【０１４８】
異なる圧力値が、ユーザにより選択されたオブジェクトの形態に変化を引き起こす。例えば、ユーザにより選択された顔文字タイプが喜びのタイプ（例えば、微笑アイコン）であるならば、圧力値が第１の事前設定閾値より大きい又はこれに等しく、且つ第２の事前設定閾値より小さい場合、顔のアイコンが笑顔の状態を保ち、圧力値が第２の事前設定閾値より大きい又はこれに等しく、且つ第３の事前設定閾値より小さい場合、顔のアイコンは大笑いの状態を保つ。
【０１４９】
実行ユニット７０４は、ユーザが入力を完了したことを検出ユニット７０２が検出した場合に、表示ユニット７０１により現在表示される顔文字又は顔文字アニメーションを決定し適用するよう構成される。
【０１５０】
上述のことから分かり得るのは、本発明において提供されるインテリジェント端末制御方法を用いることで、顔文字選択ウィンドウ上で実行されたユーザの入力が検出され、この入力はユーザの画面タッチ位置及び圧力値を含み、ユーザの顔文字タイプが画面タッチ位置に従って決定され、ユーザにより選択された顔文字タイプの、圧力値に対応する顔文字又は顔文字アニメーションが圧力値に従って決定され、ユーザが入力を完了したことを検出ユニットが検出した場合に、表示ユニットにより現在表示される顔文字又は顔文字アニメーションが決定され適用されるということである。圧力値を検出することで、顔文字タイプの、圧力値に対応する顔文字又は顔文字アニメーションが取得され適用される。これにより、ユーザ選択が容易になり、ユーザエクスペリエンスが向上する。
【０１５１】
図８は、本発明の別の実施形態によるインテリジェント端末の構成を説明する。インテリジェント端末の構成は、少なくとも１つのプロセッサ８０１（例えば、ＣＰＵ）、メモリ８０２、少なくとも１つのネットワークウィンドウ８０３、少なくとも１つの通信バス８０４、ディスプレイ８０５、及び圧力センサ８０６を含む。プロセッサ８０１は、メモリ８０２に格納されたコンピュータプログラムなど、実行可能なモジュールを実行するよう構成される。圧力センサ８０６は、圧力値を取得するよう構成される。メモリ８０２は高速ランダムアクセスメモリ（ＲＡＭ：Ｒａｎｄｏｍ  Ａｃｃｅｓｓ  Ｍｅｍｏｒｙ）を含んでよく、不揮発性メモリ（ｎｏｎ−ｖｏｌａｔｉｌｅ  ｍｅｍｏｒｙ）、例えば、少なくともｅＭＭＣ（Ｅｍｂｅｄｄｅｄ  Ｍｕｌｔｉ  Ｍｅｄｉａ  Ｃａｒｄ、組み込みマルチメディアカード）メモリを更に含んでよい。少なくとも１つのネットワークウィンドウ８０３（有線でも無線でもよい）を用いることで、ネットワークデバイスと少なくとも１つの他のネットワークエレメントとの間の通信接続が、インターネット、ワイドエリアネットワーク、ローカルエリアネットワーク、メトロポリタンエリアネットワークなどを通じて実装される。
【０１５２】
いくつかの実装態様において、メモリ８０２はプログラム８０２１を格納し、プログラム８０２１はプロセッサ８０１により実行され得る。このプログラムは、オブジェクト管理ウィンドウを表示する手順と、オブジェクト管理ウィンドウにおいて実行されたユーザの入力を検出する手順であって、この入力はユーザの画面タッチ位置及び圧力値を含む、検出する手順と、画面タッチ位置に従って、ユーザにより選択されたオブジェクトを決定する手順と、圧力値が事前設定閾値より大きい又はこれに等しい場合に、ユーザにより選択されたオブジェクトを圧縮する手順とを含む。
【０１５３】
任意選択で、ユーザにより選択されたオブジェクトを圧縮する手順は、オブジェクト管理ウィンドウの事前設定圧縮率に従って、ユーザにより選択されたオブジェクトをパッケージに圧縮する手順を含む。
【０１５４】
任意選択で、ユーザにより選択されたオブジェクトを圧縮する手順の前に、プログラムは、圧力値に従って圧縮率を取得する手順を更に含み、ユーザにより選択されたオブジェクトを圧縮する手順は、オブジェクト管理ウィンドウの取得された圧縮率に従って、ユーザにより選択されたオブジェクトをパッケージに圧縮する手順を含む。
【０１５５】
任意選択で、ユーザにより選択されたオブジェクトを圧縮する手順は、オブジェクト管理ウィンドウにおいて、ユーザにより選択されたオブジェクトに対して記憶容量の圧縮を実行する手順を含む。
【０１５６】
上述のことから分かり得るのは、本発明のこの実施形態のインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に、ユーザにより選択されたオブジェクトに対して圧縮が実行されるということである。これにより、操作可能なオブジェクトに対するユーザ操作が容易になり、ユーザエクスペリエンスが向上する。
【０１５７】
図９は、本発明の別の実施形態によるインテリジェント端末の構成を説明する。インテリジェント端末の構成は、少なくとも１つのプロセッサ９０１（例えば、ＣＰＵ）、メモリ９０２、少なくとも１つのネットワークウィンドウ９０３、少なくとも１つの通信バス９０４、ディスプレイ９０５、及び圧力センサ９０６を含む。圧力センサ９０６は、圧力値を取得するよう構成される。プロセッサ９０１は、メモリ９０２に格納されたコンピュータプログラムなど、実行可能なモジュールを実行するよう構成される。メモリ９０２は高速ランダムアクセスメモリ（ＲＡＭ：Ｒａｎｄｏｍ  Ａｃｃｅｓｓ  Ｍｅｍｏｒｙ）を含んでよく、不揮発性メモリ（ｎｏｎ−ｖｏｌａｔｉｌｅ  ｍｅｍｏｒｙ）、例えば、少なくともｅＭＭＣ（Ｅｍｂｅｄｄｅｄ  Ｍｕｌｔｉ  Ｍｅｄｉａ  Ｃａｒｄ、組み込みマルチメディアカード）メモリを更に含んでよい。少なくとも１つのネットワークウィンドウ９０３（有線でも無線でもよい）を用いることで、ネットワークデバイスと少なくとも１つの他のネットワークエレメントとの間の通信接続が、インターネット、ワイドエリアネットワーク、ローカルエリアネットワーク、メトロポリタンエリアネットワークなどを通じて実装される。
【０１５８】
いくつかの実装態様において、メモリ９０２はプログラム９０２１を格納し、プログラム９０２１はプロセッサ９０１により実行され得る。このプログラムは、オブジェクト管理ウィンドウを表示する手順と、オブジェクト管理ウィンドウにおいて実行されたユーザの入力を検出する手順であって、この入力はユーザの画面タッチ位置及び圧力値を含む、検出する手順と、画面タッチ位置に従って、ユーザにより選択されたオブジェクトを決定する手順と、圧力値が事前設定閾値より大きい又はこれに等しい場合に、削除トリガを表示する手順と、削除トリガがアクティブである場合に、ユーザにより選択されたオブジェクトに対して削除操作を実行する手順とを含む。
【０１５９】
任意選択で、圧力値が事前設定閾値より大きい又はこれに等しい場合に削除トリガを表示する手順は、圧力値が事前設定閾値より大きい又はこれに等しい場合に削除アニメーションを表示する手順を含み、削除トリガがアクティブである場合に、ユーザにより選択されたオブジェクトに対して削除操作を実行する手順は、削除アニメーションが完全に表示されている場合に、ユーザにより選択されたオブジェクトに対して削除操作を実行する手順を含む。
【０１６０】
任意選択で、ユーザが入力を完了したことが検出された場合に、削除アニメーションを完全に表示するかどうかが決定され、削除アニメーションが完全に表示されていない場合に、削除アニメーションの表示が停止され、表示される削除アニメーションが、停止点から、後ろから前へと逆に再生される。
【０１６１】
任意選択で、圧力値が事前設定閾値より大きい又はこれに等しい場合に削除トリガを表示する手順は、圧力値が事前設定閾値より大きい又はこれに等しい場合に削除確認ボタンを表示する手順を含み、削除トリガがアクティブである場合に、ユーザにより選択されたオブジェクトに対して削除操作を実行する手順は、削除確認ボタンが選択された場合に、ユーザにより選択されたオブジェクトに対して削除操作を実行する手順を含む。
【０１６２】
上述のことから分かり得るのは、本発明において提供されるインテリジェント端末制御方法を用いることで、オブジェクト管理ウィンドウ上で実行されたユーザの入力が検出され、この入力はユーザの画面タッチ位置及び圧力値を含み、ユーザにより選択されたオブジェクトが画面タッチ位置に従って決定され、圧力値が事前設定閾値より大きい又はこれに等しい場合に削除トリガが表示され、削除トリガがアクティブである場合に、ユーザにより選択されたオブジェクトに対して削除操作が実行されるということである。ユーザにより選択されたオブジェクト及び入力の圧力値を検出することで、ユーザは、削除トリガを表示するという形態で、削除操作を実行するかどうかについて入力を促される。これにより、ユーザにより選択されたオブジェクトに対してユーザ操作が容易になり、ユーザエクスペリエンスが向上する。
【０１６３】
図１０は、本発明の別の実施形態によるインテリジェント端末の構成を説明する。インテリジェント端末の構成は、少なくとも１つのプロセッサ１００１（例えば、ＣＰＵ）、メモリ１００２、少なくとも１つのネットワークウィンドウ１００３、少なくとも１つの通信バス１００４、ディスプレイ１００５、及び圧力センサ１００６を含む。圧力センサ１００６は、圧力値を取得するよう構成される。プロセッサ１００１は、メモリ１００２に格納されたコンピュータプログラムなど、実行可能なモジュールを実行するよう構成される。メモリ１００２は高速ランダムアクセスメモリ（ＲＡＭ：Ｒａｎｄｏｍ  Ａｃｃｅｓｓ  Ｍｅｍｏｒｙ）を含んでよく、不揮発性メモリ（ｎｏｎ−ｖｏｌａｔｉｌｅ  ｍｅｍｏｒｙ）、例えば、少なくともｅＭＭＣ（Ｅｍｂｅｄｄｅｄ  Ｍｕｌｔｉ  Ｍｅｄｉａ  Ｃａｒｄ、組み込みマルチメディアカード）メモリを更に含んでよい。少なくとも１つのネットワークウィンドウ１００３（有線でも無線でもよい）を用いることで、ネットワークデバイスと少なくとも１つの他のネットワークエレメントとの間の通信接続が、インターネット、ワイドエリアネットワーク、ローカルエリアネットワーク、メトロポリタンエリアネットワークなどを通じて実装される。
【０１６４】
いくつかの実装態様において、メモリ１００２はプログラム１００２１を格納し、プログラム１００２１はプロセッサ１００１により実行され得る。このプログラムは、顔文字選択ウィンドウを表示する手順と、顔文字選択ウィンドウで実行されたユーザの入力を検出する手順であって、この入力はユーザの画面タッチ位置及び圧力値を含む、検出する手順と、画面タッチ位置に従って、ユーザにより選択された顔文字タイプを決定する手順と、圧力値の動的な変化に従って、ユーザにより選択された顔文字タイプの、圧力値に対応する顔文字又は顔文字アニメーションを表示する手順と、ユーザが入力を完了したことが検出された場合に、現在表示される顔文字又は顔文字アニメーションを決定し適用する手順とを含む。
【０１６５】
上述のことから分かり得るのは、本発明において提供されるインテリジェント端末制御方法を用いることで、顔文字選択ウィンドウで実行されたユーザの入力が検出され、この入力はユーザの画面タッチ位置及び圧力値を含み、ユーザにより選択された顔文字タイプが画面タッチ位置に従って決定され、ユーザにより選択された顔文字タイプの、圧力値に対応する顔文字又は顔文字アニメーションが圧力値に従って決定され、ユーザが入力を完了したことが検出された場合に、現在表示される顔文字又は顔文字アニメーションが決定され適用されることである。圧力値を検出することで、ユーザにより選択された顔文字の、圧力値に対応する顔文字又は顔文字アニメーションが選択され適用される。これにより、ユーザ選択が容易になり、ユーザエクスペリエンスが向上する。
【０１６６】
説明を簡潔にすべく、上述の方法の複数の実施形態は、一連の動作として表されていることに留意すべきである。しかしながら、当業者であれば、本発明が説明された動作の順序に制限されず、本発明に従って、いくつかの段階は他の順序で実行されてよく、又は同時に実行されてもよいことを理解すべきである。更に、当業者であれば、明細書に説明された全ての実施形態は例示的な実施形態であり、関連する動作及びモジュールは、必ずしも本発明に必須というわけではないことも理解すべきである。
【０１６７】
装置及びシステム内の複数のモジュール間における情報交換及び実行処理などの内容は、本発明の方法の複数の実施形態と同一の考え方に基づいている。従って、詳細な内容については、本発明の方法の複数の実施形態の説明を参照し、詳細がここで改めて説明されることはない。
【０１６８】
当業者であれば、複数の実施形態における複数の方法の複数の処理の全て又はいくつかが、関連するハードウェアに命令するコンピュータプログラムにより実装されてよいことを理解し得る。プログラムは、コンピュータ可読記憶媒体に格納されてよい。プログラムが起動すると、複数の実施形態における複数の方法の複数の処理が実行される。上述の記憶媒体は、磁気ディスク、光ディスク、リードオンリメモリ（Ｒｅａｄ−Ｏｎｌｙ  Ｍｅｍｏｒｙ、ＲＯＭ）、又はランダムアクセスメモリ（Ｒａｎｄｏｍ  Ａｃｃｅｓｓ  Ｍｅｍｏｒｙ、ＲＡＭ）を含んでよい。
【０１６９】
具体的な複数の例が本明細書に用いられ、本発明の原理及び複数の実装態様を説明する。上述の複数の実施形態の説明は、本発明の方法及び考え方を理解するのに役立つよう意図されているに過ぎない。更に、複数の実装態様及び応用の範囲を参照し、本発明の考え方に従って、複数の変更が当業者により行われてよい。従って、本明細書は、本発明を制限するものとして解釈されるべきではない。
【図１】
2018185836.tif 000003
【図１ａ】
2018185836.tif 000004
【図１ｂ】
2018185836.tif 000005
【図２】
2018185836.tif 000006
【図２ａ】
2018185836.tif 000007
【図２ｂ】
2018185836.tif 000008
【図２ｃ】
2018185836.tif 000009
【図２ｄ】
2018185836.tif 000010
【図２ｅ】
2018185836.tif 000011
【図２ｆ】
2018185836.tif 000012
【図２ｇ】
2018185836.tif 000013
【図３】
2018185836.tif 000014
【図４】
2018185836.tif 000015
【図４ａ】
2018185836.tif 000016
【図５】
2018185836.tif 000017
【図６】
2018185836.tif 000018
【図７】
2018185836.tif 000019
【図８】
2018185836.tif 000020
【図９】
2018185836.tif 000021
【図１０】
2018185836.tif 000022
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
インテリジェント端末制御方法であって、
オブジェクト管理ウィンドウを表示する段階と、
前記オブジェクト管理ウィンドウにおいて実行されたユーザの入力を検出する段階であって、前記入力は前記ユーザの画面タッチ位置及び圧力値を含む、検出する段階と、
前記画面タッチ位置に従って、前記ユーザにより選択されたオブジェクトを決定する段階と、
前記圧力値が事前設定閾値より大きい又はこれに等しい場合に削除トリガを表示する段階と、
前記削除トリガがアクティブである場合に、前記ユーザにより選択された前記オブジェクトに対して削除操作を実行する段階と、
を備える、
方法。
【請求項２】
前記圧力値が事前設定閾値より大きい又はこれに等しい場合に削除トリガを前記表示する段階は、
前記圧力値が前記事前設定閾値より大きい又はこれに等しい場合に、削除アニメーションを表示する段階を有し、
前記削除トリガがアクティブである場合に、前記ユーザにより選択された前記オブジェクトに対して削除操作を前記実行する段階は、
前記削除アニメーションが完全に表示されている場合に、前記ユーザにより選択された前記オブジェクトに対して前記削除操作を実行する段階を有する、
請求項１に記載の方法。
【請求項３】
前記ユーザが前記入力を完了したことが検出された場合に、前記削除アニメーションを完全に表示するかどうかを決定する段階と、
前記削除アニメーションが完全に表示されていない場合に、前記削除アニメーションの表示を停止し、停止点から、表示された前記削除アニメーションを後ろから前へと逆に再生する段階と、
を更に備える、
請求項２に記載の方法。
【請求項４】
前記圧力値が事前設定閾値より大きい又はこれに等しい場合に、削除トリガを前記表示する段階は、
前記圧力値が前記事前設定閾値より大きい又はこれに等しい場合に、削除確認ボタンを表示する段階を有し、
前記削除トリガがアクティブである場合に、前記ユーザにより選択された前記オブジェクトに対して削除操作を前記実行する段階は、
前記削除確認ボタンが選択された場合に、前記ユーザにより選択された前記オブジェクトに対して前記削除操作を実行する段階を有する、
請求項１に記載の方法。
【請求項５】
インテリジェント端末制御方法であって、
顔文字選択ウィンドウを表示する段階と、
前記顔文字選択ウィンドウで実行されたユーザの入力を検出する段階であって、前記入力は前記ユーザの画面タッチ位置及び圧力値を含む、検出する段階と、
前記画面タッチ位置に従って、前記ユーザにより選択された顔文字タイプを決定する段階と、
前記圧力値の動的な変化に従って、前記ユーザにより選択された前記顔文字タイプの、前記圧力値に対応する顔文字又は顔文字アニメーションを表示する段階と、
前記ユーザが前記入力を完了したことが検出された場合に、現在表示される前記顔文字又は顔文字アニメーションを決定し適用する段階と、
を備える、
方法。
【請求項６】
オブジェクト管理ウィンドウを表示するよう構成された表示ユニットと、
前記オブジェクト管理ウィンドウにおいて実行されたユーザの入力を検出するよう構成された検出ユニットであって、前記入力は前記ユーザの画面タッチ位置及び圧力値を含む、検出ユニットと、
前記検出ユニットにより検出された前記画面タッチ位置に従って、前記ユーザにより選択されたオブジェクトを決定するよう構成された決定ユニットと、
前記圧力値が事前設定閾値より大きい又はこれに等しい場合に、前記ユーザにより選択された前記オブジェクトを圧縮するよう構成された圧縮ユニットと、
を備える、
インテリジェント端末。
【請求項７】
前記圧縮ユニットは、前記オブジェクト管理ウィンドウにおいて、事前設定圧縮率に従って、前記ユーザにより選択された前記オブジェクトを圧縮するよう特に構成される、
請求項６に記載のインテリジェント端末。
【請求項８】
前記インテリジェント端末は取得ユニットを更に備え、前記取得ユニットは、前記圧力値に従って圧縮率を取得するよう特に構成され、
前記圧縮ユニットは、前記オブジェクト管理ウィンドウにおいて、取得された前記圧縮率に従って、前記ユーザにより選択された前記オブジェクトを圧縮するよう特に構成される、
請求項６に記載のインテリジェント端末。
【請求項９】
前記圧縮ユニットは、前記オブジェクト管理ウィンドウにおいて、前記ユーザにより選択された前記オブジェクトに対して記憶容量の圧縮を実行するよう特に構成される、
請求項６に記載のインテリジェント端末。
【請求項１０】
顔文字選択ウィンドウを表示するよう構成された表示ユニットと、
前記顔文字選択ウィンドウで実行されたユーザの入力を検出するよう構成された検出ユニットであって、前記入力は前記ユーザの画面タッチ位置及び圧力値を含む、検出ユニットと、
前記画面タッチ位置に従って、前記ユーザにより選択された顔文字タイプを決定するよう構成された決定ユニットであって、前記表示ユニットは、前記圧力値に従って、前記ユーザにより選択された前記顔文字タイプの、前記圧力値に対応する顔文字又は顔文字アニメーションを決定するよう更に構成される、決定ユニットと、
前記ユーザが前記入力を完了したことを前記検出ユニットが検出した場合に、前記表示ユニットにより現在表示される前記顔文字又は顔文字アニメーションを決定し適用するよう構成された実行ユニットと、
を備える、
インテリジェント端末。